(57)【要約】【課題】組付、分解、及びリサイクルの各作業性を向上させたテーブルを提供すること。【解決手段】テーブル１は、天板２と、天板２を支持する支脚と、支脚を天板２に止着するストッパー３０とを備える。天板２は、天板２の裏側に立設され、ストッパー３０が介装される一対の側壁部１３Ａ，１３Ｂと、一対の側壁部１３Ａ，１３Ｂの互いに対向する一対の面に設けられ、一対の側壁部１３Ａ，１３Ｂに沿って設けられた突起部２０とを備える。ストッパー３０は、一対の側壁部１３Ａ，１３Ｂの間に配置された支脚３のフレーム５を支持する支脚支持部と、ストッパー３０が一対の側壁部１３Ａ，１３Ｂの間に配置された状態で一対の側壁部１３Ａ，１３Ｂに沿って設けられた溝部３３を備える。一対の側壁部１３Ａ，１３Ｂの間で溝部３３が突起部２０に係わり合うことによって、ストッパー３０が天板２に係止する。【選択図】図１２
2019058312.tif 000002
【特許請求の範囲】
【請求項１】
天板と、
前記天板を支持する支脚と、
前記支脚を前記天板に止着するストッパーとを備え、
前記天板は、
前記天板の裏側に立設され、前記ストッパーが介装される一対の側壁部と、
前記一対の側壁部の互いに対向する一対の面のうち少なくとも一方の面に設けられ、該側壁部に沿って設けられた係止部とを備え、
前記ストッパーは、
前記一対の側壁部の間に配置された前記支脚の基部を支持する支脚支持部と、
前記ストッパーが前記一対の側壁部の間に配置された状態で該側壁部に沿って設けられた被係止部とを備え、
前記一対の側壁部の間で前記被係止部が前記係止部に係わり合うことによって、前記ストッパーが前記天板に係止することを特徴とするテーブル。
【請求項２】
前記ストッパーが前記天板に係止した状態で、
前記被係止部が前記係止部によって前記天板に向かって押圧されることを特徴とする請求項１に記載のテーブル。
【請求項３】
前記ストッパーが前記天板に係止した状態で、
前記ストッパーの外面が前記一対の側壁部と当接する又は該ストッパーの外面が該一対の側壁部を押圧することを特徴とする請求項１又は請求項２に記載のテーブル。
【請求項４】
前記天板は、
前記天板の裏側に立設され、前記一対の側壁部の前記一対の面で区画される領域の外側にあって、前記係止部が設けられた位置を起点として延設された開き防止リブを備えたことを特徴とする請求項１乃至請求項３のいずれか一つに記載のテーブル。
【請求項５】
前記ストッパーは、
前記ストッパーが前記天板に係止した状態で前記係止部と前記被係止部とを覆う蓋部を備えたことを特徴とする請求項１乃至請求項４のいずれか一つに記載のテーブル。
【請求項６】
前記天板は、
前記一対の側壁部の間に立設され、該一対の側壁部の長手方向において前記係止部とはズレた位置に設けられた当接リブを備え、
前記ストッパーが前記天板に係止した状態で、
前記一対の側壁部の間に配置された前記支脚の前記基部が前記当接リブを押圧することを特徴とする請求項１乃至請求項５のいずれか一つに記載のテーブル。
【発明の詳細な説明】
【技術分野】
【０００１】
本発明は、天板に組み付けられる支脚を備えたテーブルに関するものである。
【背景技術】
【０００２】
従来より、天板に組み付けられる支脚を備えたテーブルに関し、種々の技術が提案されている。
【０００３】
例えば、下記特許文献１に記載の装置では、テーブルに支脚を組み付けるために、ブラケットが使用されている。ブラケットは、複数のビスによって、テーブルの下面に固定されている。
【先行技術文献】
【特許文献】
【０００４】
【特許文献１】実公昭５７−１４６６０号公報
【発明の概要】
【発明が解決しようとする課題】
【０００５】
しかしながら、ブラケットをビス止めする箇所が複数あるため、テーブルに支脚を組み付けたり、テーブルと支脚に分解したり、或いはリサイクルするために分別処理したりする際に、多くの時間や労力が費やされていた。
【０００６】
そこで、本発明は、上述した点を鑑みてなされたものであり、組付、分解、及びリサイクルの各作業性を向上させたテーブルを提供することを課題とする。
【課題を解決するための手段】
【０００７】
この課題を解決するためになされた請求項１に係る発明は、テーブルであって、天板と、天板を支持する支脚と、支脚を天板に止着するストッパーとを備え、天板は、天板の裏側に立設され、ストッパーが介装される一対の側壁部と、一対の側壁部の互いに対向する一対の面のうち少なくとも一方の面に設けられ、側壁部に沿って設けられた係止部とを備え、ストッパーは、一対の側壁部の間に配置された支脚の基部を支持する支脚支持部と、ストッパーが一対の側壁部の間に配置された状態で側壁部に沿って設けられた被係止部とを備え、一対の側壁部の間で被係止部が係止部に係わり合うことによって、ストッパーが天板に係止することを特徴とする。
【０００８】
請求項２に係る発明は、請求項１に記載のテーブルであって、ストッパーが天板に係止した状態で、被係止部が係止部によって天板に向かって押圧されることを特徴とする。
【０００９】
請求項３に係る発明は、請求項１又は請求項２に記載のテーブルであって、ストッパーが天板に係止した状態で、ストッパーの外面が一対の側壁部と当接する又はストッパーの外面が一対の側壁部を押圧することを特徴とする。
【００１０】
請求項４に係る発明は、請求項１乃至請求項３のいずれか一つに記載のテーブルであって、天板は、天板の裏側に立設され、一対の側壁部の一対の面で区画される領域の外側にあって、係止部が設けられた位置を起点として延設された開き防止リブを備えたことを特徴とする。
【００１１】
請求項５に係る発明は、請求項１乃至請求項４のいずれか一つに記載のテーブルであって、ストッパーは、ストッパーが天板に係止した状態で係止部と被係止部とを覆う蓋部を備えたことを特徴とする。
【００１２】
請求項６に係る発明は、請求項１乃至請求項５のいずれか一つに記載のテーブルであって、天板は、一対の側壁部の間に立設され、一対の側壁部の長手方向において係止部とはズレた位置に設けられた当接リブを備え、ストッパーが天板に係止した状態で、一対の側壁部の間に配置された支脚の基部が当接リブを押圧することを特徴とする。
【発明の効果】
【００１３】
請求項１に係る発明のテーブルは、先ず、一対の側壁部の間に支脚の基部を配置させ、次に、一対の側壁部の間にストッパーを配置させ、最後に、ストッパーを天板に係止させることによって、組み付けられる。従って、請求項１に係る発明のテーブルは、簡単に、組み付けることが可能である。
【００１４】
その際、請求項１に係る発明のテーブルでは、一対の側壁部の間でストッパーがスライドして、被係止部が係止部に係わり合うと、ストッパーが天板に係止した状態になり、一対の側壁部の間に配置された支脚の基部がストッパーと天板で狭着されるので、支脚を天板にストッパーで止着することが可能である。これに対して、一対の側壁部の間でストッパーが逆方向へスライドして、ストッパーと天板との係止が解除されると、一対の側壁部の間からストッパーと支脚の基部を取り外すことが可能である。そのため、請求項１に係る発明のテーブルでは、組付、分解、及びリサイクルの各作業性が向上している。
【００１５】
このようにして、請求項１に係る発明のテーブルでは、支脚を天板に固定するための孔開け等の加工作業が不要なので、加工コストが低減される。
【００１６】
請求項２に係る発明のテーブルでは、ストッパーが天板に係止した状態になると、被係止部の下面と係止部の上面とが圧接し、被係止部が係止部によって天板に向かって押圧されるので、一対の側壁部の間に配置された支脚の基部と天板とが圧接すると共に、支脚の基部と支脚支持部とが圧接する。これによって、請求項２に係る発明のテーブルでは、ストッパーが一対の側壁部の間にスライドされながら嵌め込まれる（つまり、圧入される）ことにより、ストッパーが天板に係止され、ボルトやネジ等の締結力と遜色ない力で支脚が天板に固定されるので、ストッパーや支脚のズレが防止される。
【００１７】
請求項３に係る発明のテーブルでは、ストッパーが天板に係止した状態になると、ストッパーの外面が一対の側壁部と当接する又はストッパーの外面が一対の側壁部を押圧するので、ストッパーのズレが防止される。
【００１８】
請求項４に係る発明のテーブルでは、開き防止リブによって一対の側壁部が外側に向かって開くことが防止されるに伴って、係止部が外側に向かって開くことも防止され、係止部が被係止部から離間しないので、ストッパーのズレが防止される。
【００１９】
請求項５に係る発明のテーブルでは、ストッパーが天板に係止した状態になると、蓋部が係止部と被係止部とを覆い隠し、係止部と被係止部が保護されるので、係止部と被係止部が破損し難い。
【００２０】
請求項６に係る発明のテーブルでは、ストッパーが天板に係止した状態になると、一対の側壁部の間に配置された支脚の基部が当接リブを押圧するが、当接リブが一対の側壁部の長手方向において係止部とはズレた位置に設けられており、天板からの衝撃が当接リブを介して支脚の基部に作用する方向には係止部が存在しないので、天板からの衝撃で係止部が破損することが防止される。
【図面の簡単な説明】
【００２１】
【図１】本発明の実施形態のテーブルが表された分解斜視図である。
【図２】同テーブルが表された斜視図である。
【図３】同テーブルが上下に段積みされた状態で表された斜視図である。
【図４】同テーブルの天板の表側が表された斜視図である。
【図５】同テーブルの天板の裏側が表された斜視図である。
【図６】同テーブルの天板の裏側が表された平面図である。
【図７】同テーブルの天板を図６の線Ａ−Ａで切断された断面が表された図である。
【図８】同テーブルの天板の裏側の一部が拡大されて表された斜視図である。
【図９】同テーブルのストッパーが表された斜視図であって、ストッパーの下側から表された図である。
【図１０】同テーブルのストッパーが表された斜視図であって、ストッパーの上側から表された図である。
【図１１】同テーブルが天板の裏側から表された斜視図であって、天板に支脚がストッパーで固定される状態が表された図である。
【図１２】同テーブルが天板の裏側から表された斜視図であって、天板に支脚がストッパーで固定される状態が表された図である。
【図１３】同テーブルが天板の裏側から表された斜視図である。
【図１４】同テーブルを図１２の線Ｂ−Ｂで切断された断面が表された図である。
【図１５】同テーブルを図１２の線Ｃ−Ｃで切断された断面が表された図である。
【図１６】同テーブルの変更例が表された斜視図である。
【発明を実施するための形態】
【００２２】
以下、本発明に係るテーブルについて、具体化した本実施形態に基づき、図面を参照しつつ説明する。
【００２３】
（１）テーブルの概要
図１及び図２に表されたように、本実施形態のテーブル１は、天板２及び支脚３等を備えている。支脚３は、後述する複数のストッパーで天板２に組み付けられることによって、天板２を支持するものである。支脚３は、脚４、フレーム５、斜支板６、第１連結杆７、第２連結杆８、及びスライド杆９等を備えている。
【００２４】
尚、図１及び図２において、符号Ｄ１の方向は、テーブル１の上下方向を示している。符号Ｄ２の方向は、テーブル１の横方向（つまり、天板２の長手方向）を示している。符号Ｄ３の方向は、テーブル１の奥行方向（つまり、天板２の短手方向）を示している。各方向Ｄ１，Ｄ２，Ｄ３は、互いに直交する関係にある。これらの点は、後述する図３乃至図１６においても、同様である。
【００２５】
脚４は、フレーム５の両端部に設けられている。脚４の下端には、アジャスター４Ａが設けられている。脚４の上端部には、横方向Ｄ２の外方側にて樹脂製の保護材４Ｂが設けられている。フレーム５は、天板２の裏側において、横方向Ｄ２に沿って配置されるものである。
【００２６】
斜支板６は、その上端部がフレーム５の一端部に設けられている。斜支板６は、その下端部が脚４の上端部に隣接している。第１連結杆７は、その両端が、奥行方向Ｄ３で相対する斜支板６の下端部に固定されている。これによって、奥行方向Ｄ３で相対する斜支板６は、第１連結杆７で連結されている。第２連結杆８は、その両端が、奥行方向Ｄ３で相対する脚４の中間部に固定されている。これによって、奥行方向Ｄ３で相対する脚４は、第２連結杆８で連結されている。スライド杆９は、その両端が、奥行方向Ｄ３で相対する斜支板６に設けられている。
【００２７】
このような構成を有する支脚３は、脚４をフレーム５に近接させることによって、折り畳むことが可能である。その折畳機構については、公知技術であるので、詳細な説明は省略する。図３に表されたように、支脚３が折り畳まれたテーブル１は、上下に段積みすることが可能である。テーブル１が段積みされた際は、上段のテーブル１の脚４に設けられた保護材４Ｂは、下段のテーブル１の天板２に載上される。これによって、下段のテーブル１の天板２が傷つかないようにされると共に、上段のテーブル１が滑らないようにされる。
【００２８】
（２）天板の概要
図４に表されたように、天板２は、矩形状である。天板２の裏側は、樹脂でつくられており、図５乃至図８に表されたように、矩形状の外周壁２Ａで囲まれている。外周壁２Ａ内では、横リブ１０、縦リブ１１、隅リブ１２、一対の側壁部１３Ａ，１３Ｂ、当接リブ１４、及び開き防止リブ１５等が立設されている。
【００２９】
横リブ１０は、横方向Ｄ２に沿って成形されている。これに対して、縦リブ１１は、奥行方向Ｄ３に沿って成形されている。よって、横リブ１０と縦リブ１１は、互いに直交した状態で設けられている。外周壁２Ａ内では、その四隅において、矩形状の隅リブ１２が成形されている。各隅リブ１２には、横方向Ｄ２で最も外方側にある縦リブ１１が連なっている。
【００３０】
天板２の裏側では、奥行方向Ｄ３の両端部において、一対の側壁部１３Ａ，１３Ｂが平行に成形されている。一対の側壁部１３Ａ，１３Ｂは、横方向Ｄ２（つまり、天板２の長手方向）に沿って設けられている。一対の側壁部１３Ａ，１３Ｂは、上下方向Ｄ１の高さが同じである。一対の側壁部１３Ａ，１３Ｂの間には、一対の側壁部１３Ａ，１３Ｂの互いに対向する面によって、配置空間１３Ｃが設けられている。側壁部１３Ｂの横方向Ｄ２の両端は、隅リブ１２に連なっている。尚、以下の説明では、側壁部１３Ａ，１３Ｂの各々を区別せずに総称して説明する場合には、側壁部１３と表記する。また、当接リブ１４及び開き防止リブ１５については、後述する。
【００３１】
一対の側壁部１３Ａ，１３Ｂの互いに対向する面には、一対の突起部２０Ａ，２０Ｂが複数成形されている。各一対の突起部２０Ａ，２０Ｂは、板状であって、横方向Ｄ２（つまり、側壁部１３の長手方向）に沿って突出している。突起部２０Ａは、側壁部１３Ａの面に設けられている。これに対して、突起部２０Ｂは、突起部２０Ａに対して奥行方向Ｄ３で対向する位置において、側壁部１３Ｂの面に設けられている。
【００３２】
各一対の突起部２０Ａ，２０Ｂにおいては、横方向Ｄ２（つまり、側壁部１３の長手方向）の一端部にて、その角が無い状態に成形された、側方傾斜面２２が設けられている。更に、各一対の突起部２０Ａ，２０Ｂにおいては、それらの上面であって、天板２の裏側と対向する面のうち、側方傾斜面２２が設けられた一端部側の領域が、上下方向Ｄ１で傾斜する上方傾斜面２１として成形されている。上方傾斜面２１は、側方傾斜面２２と側壁部１３が交わる側へ横方向Ｄ２（つまり、側壁部１３の長手方向）に沿って向かうに連れて、上下方向Ｄ１の下へ向かうように傾いている。尚、以下の説明では、突起部２０Ａ，２０Ｂの各々を区別せずに総称して説明する場合には、突起部２０と表記する。
【００３３】
天板２の裏側では、一対の側壁部１３Ａ，１３Ｂの間において、複数の当接リブ１４が奥行方向Ｄ３に沿って成形されている。各当接リブ１４の奥行方向Ｄ３の両端は、一対の側壁部１３Ａ，１３Ｂに連設されている。その連設箇所は、横方向Ｄ２（つまり、側壁部１３の長手方向）において、突起部２０とはズレた位置に設定されている。尚、各当接リブ１４の高さ（つまり、天板２の裏側から各当接リブ１４の先端までの距離）は、天板２の裏側から突起部２０までの距離と比べ、低く設定されている。
【００３４】
天板２の裏側では、配置空間１３Ｃの外側（つまり、「一対の側壁部の一対の面で区画される領域の外側」）において、複数の開き防止リブ１５が成形されている。各開き防止リブ１５の奥行方向Ｄ３の一端は、一対の側壁部１３Ａ，１３Ｂに連設されている。その連設箇所は、奥行方向Ｄ３へ移動させると、突起部２０と重なる領域内に設定されている。つまり、各開き防止リブ１５は、一対の側壁部１３Ａ，１３Ｂにおいて、一対の突起部２０Ａ，２０Ｂが設けられた位置を起点として、一対の突起部２０Ａ，２０Ｂが設けられた面とは反対側の面から延設されている。尚、複数の開き防止リブ１５の大部分は、縦リブ１１として設けられている。
【００３５】
（３）ストッパーの概要
天板２では、一対の側壁部１３Ａ，１３Ｂの間において、図９及び図１０に表されたストッパー３０が介装される。ストッパー３０は、平面部３１、及び一対の側面部３２，３２等を備えている。尚、図９及び図１０に表された各方向Ｄ１，Ｄ２，Ｄ３は、ストッパー３０が一対の側壁部１３Ａ，１３Ｂの間に介装された場合の方向を示している。ストッパー３０は、その奥行方向Ｄ３の長さが、一対の側壁部１３Ａ，１３Ｂの間隔にほぼ等しく設定されている。
【００３６】
平面部３１の奥行方向Ｄ３の両端部には、一対の側面部３２，３２が上下方向Ｄ１の上へ向かって延設されている。一対の側面部３２，３２では、その奥行方向Ｄ３の外方側において、溝部３３が成形されている。
【００３７】
溝部３３は、横方向Ｄ２に沿って設けられている。つまり、溝部３３は、ストッパー３０が一対の側壁部１３Ａ，１３Ｂの間に介装されると、側壁部１３の長手方向（つまり、横方向Ｄ２）に沿った状態になる。溝部３３では、横方向Ｄ２に垂直な面で切断された断面が、奥行方向Ｄ３の外方側が開放されたコ字状である。溝部３３では、その横方向Ｄ２の一方側が当接部３３Ａで塞がれる一方で、その横方向Ｄ２の他方側が開放されている。溝部３３の下方側は、平面部３１の端部が延出しており、蓋部３４を構成している。
【００３８】
平面部３１では、上下方向Ｄ１の上方側に位置する面、つまり一対の側面部３２，３２の間に位置する面によって、支脚支持部３５Ａが構成されている。一対の側面部３２，３２では、奥行方向Ｄ３で互いに対向する面によって、支脚支持部３５Ｂ，３５Ｂが構成されている。各支脚支持部３５Ａ，３５Ｂ，３５Ｂは、上下方向Ｄ１の上方側が開放されたコ字状に成形されている。尚、以下の説明では、各支脚支持部３５Ａ，３５Ｂ，３５Ｂの各々を区別せずに総称して説明する場合には、支脚支持部３５と表記する。
【００３９】
（４）ストッパーによる組付
図１１及び図１２に表すようにして、各一対の突起部２０Ａ，２０Ｂには、ストッパー３０がそれぞれ取り付けられる。つまり、各ストッパー３０は、天板２において、一対の側壁部１３Ａ，１３Ｂの間に介装される。そのためには、先ず、支脚３のフレーム５が、配置空間１３Ｃ内（つまり、一対の側壁部１３Ａ，１３Ｂの間）に配置される。これによって、支脚３のフレーム５は、当接リブ１４に当てた状態にされる。更に、支脚３のフレーム５は、その横方向Ｄ２の両端が各隅リブ１２に当てた状態にされる。そのような状態において、各ストッパー３０は、一対の側壁部１３Ａ，１３Ｂの間に対して、矢印ＡＲ１で示す方向から差し込まれる。
【００４０】
これによって、支脚３のフレーム５は、ストッパー３０の支脚支持部３５Ｂ，３５Ｂに挟まれた空間及び支脚支持部３５Ａと天板２の裏側（当接リブ１４）に挟まれた空間に受容される。また、ストッパー３０の各溝部３３は、一対の側壁部１３Ａ，１３Ｂと支脚３のフレーム５の間に介在する。更に、ストッパー３０の各溝部３３は、その横方向Ｄ２の開放側が突起部２０の側方傾斜面２２と対向する状態にされる。
【００４１】
次に、ストッパー３０は、一対の側壁部１３Ａ，１３Ｂの間において、矢印ＡＲ２で示す方向へスライドされる。つまり、ストッパー３０は、突起部２０の側方傾斜面２２に向かってスライドされる。そのスライドは、ストッパー３０の各溝部３３に、一対の突起部２０Ａ，２０Ｂが入り込むまで行われる。これによって、一対の側壁部１３Ａ，１３Ｂの間では、ストッパー３０の各溝部３３と一対の突起部２０Ａ，２０Ｂとが係わり合うので、ストッパー３０が天板２に係止する。
【００４２】
尚、ストッパー３０のスライドは、ストッパー３０の当接部３３Ａが一対の突起部２０Ａ，２０Ｂと当接することによって、終了する。但し、ストッパー３０の各溝部３３に一対の突起部２０Ａ，２０Ｂが入り込んだ状態が確保されるのであれば、ストッパー３０の当接部３３Ａが一対の突起部２０Ａ，２０Ｂと当接しない状態で、ストッパー３０のスライドを終了させてもよい。
【００４３】
その際、突起部２０の側方傾斜面２２に加え、突起部２０の上方傾斜面２１によって、ストッパー３０の各溝部３３と一対の突起部２０Ａ，２０Ｂとの係わり合いがスムーズに行われる。
【００４４】
ストッパー３０のスライドは、上述したように、突起部２０の側方傾斜面２２に向かって行われる。従って、突起部２０における側方傾斜面２２の成形位置によっては、図１３に表されたように、上記矢印ＡＲ２とは逆の矢印ＡＲ３の方向へ、ストッパー３０がスライドされる。これは、支脚３の折畳機構によって脚４等がフレーム５に近接した状態にあっても、ストッパー３０のスライド作業がスムーズに行われるように配慮したためである。従って、支脚３の脚４等がフレーム５から離間した状態でストッパー３０のスライド作業が行われれば、そのような配慮は不要なため、ストッパー３０のスライド方向を、矢印ＡＲ２又は矢印ＡＲ３の方向で統一させてもよい。
【００４５】
尚、パイプ材９Ａは、スライド杆９に連結されたものであって、スライド杆９と共に、テーブル１の棚を構成している。
【００４６】
以上より、テーブル１は、先ず、一対の側壁部１３Ａ，１３Ｂの間に支脚３のフレーム５を配置させ、次に、一対の側壁部１３Ａ，１３Ｂの間にストッパー３０を配置させ、最後に、ストッパー３０を天板２に係止させることによって、組み付けられる。従って、テーブル１は、簡単に、組み付けることが可能である。
【００４７】
その際、テーブル１では、一対の側壁部１３Ａ，１３Ｂの間でストッパー３０が矢印ＡＲ２又は矢印ＡＲ３の方向へスライドして、ストッパー３０の各溝部３３が一対の突起部２０Ａ，２０Ｂに係わり合うと、ストッパー３０が天板２に係止した状態になり、一対の側壁部１３Ａ，１３Ｂの間（つまり、配置空間１３Ｃ）に配置された支脚３のフレーム５がストッパー３０と天板２で狭着される。そのため、支脚３を天板２にストッパー３０で止着することが可能である。これに対して、一対の側壁部１３Ａ，１３Ｂの間でストッパー３０が矢印ＡＲ２又は矢印ＡＲ３の方向へスライドすることによって、ストッパー３０と天板２との係止が解除されると、一対の側壁部１３Ａ，１３Ｂの間からストッパー３０と支脚３のフレーム５を取り外すことが可能である。そのため、テーブル１では、組付、分解、及びリサイクルの各作業性が向上している。
【００４８】
このようにして、テーブル１では、支脚３を天板２に固定するために、ストッパー３０等を使用しており、孔開け等の加工作業が不要なので、加工コストが低減される。
【００４９】
（５）ストッパーが天板に係止した状態
図１４及び図１５に表されたように、テーブル１では、ストッパー３０が天板２に係止した状態になると、ストッパー３０の溝部３３の上側内面３３Ｂと突起部２０Ｂの上面２３とが圧接し、ストッパー３０の溝部３３（の上側内面３３Ｂ）が突起部２０Ｂ（の上面２３）によって天板２に向かって押圧される。この点は、突起部２０Ａにおいても、同様である。そのため、一対の側壁部１３Ａ，１３Ｂの間に配置された支脚３のフレーム５と天板２とが（当接リブ１４を介して）圧接する。更に、支脚３のフレーム５とストッパー３０の支脚支持部３５Ａとが圧接するので、支脚３のフレーム５が支脚支持部３５によって支持される。
【００５０】
これによって、テーブル１では、ストッパー３０が一対の側壁部１３Ａ，１３Ｂの間にスライドされながら嵌め込まれる（つまり、圧入される）ことにより、ストッパー３０が天板２に係止され、ボルトやネジ等の締結力と遜色ない力で支脚３が天板２に固定されるので、ストッパー３０や支脚３の上下方向Ｄ１のズレが防止される。
【００５１】
また、テーブル１では、ストッパー３０が天板２に係止した状態になると、ストッパー３０の奥行方向Ｄ３の外面３３Ｃが、側壁部１３Ａ（の内側面１３Ｄ）を押圧する。この点は、側壁部１３Ｂにおいても、同様である。そのため、ストッパー３０の奥行方向Ｄ３のズレが防止される。尚、ストッパー３０の奥行方向Ｄ３の外面３３Ｃが一対の側壁部１３Ａ，１３Ｂと当接するように構成されていても、ストッパー３０の奥行方向Ｄ３のズレを防止することは可能である。但し、本実施形態とは異なって、ストッパー３０の奥行方向Ｄ３の外面３３Ｃが一対の側壁部１３Ａ，１３Ｂから離間するように構成されていても、支脚３を天板２にストッパー３０で止着することは可能である。
【００５２】
また、テーブル１では、上述したように、開き防止リブ１５が、一対の側壁部１３Ａ，１３Ｂにおいて、一対の突起部２０Ａ，２０Ｂが設けられた位置を起点として、一対の突起部２０Ａ，２０Ｂが設けられた面（例えば、図１４の内側面１３Ｄ）とは反対側の面から延設されている。そのため、ストッパー３０の各溝部３３に一対の突起部２０Ａ，２０Ｂが入り込んだ際に、ストッパー３０が一対の側壁部１３Ａ，１３Ｂを押圧しても、各開き防止リブ１５によって、一対の側壁部１３Ａ，１３Ｂが外側に向かって開くことが防止される。これに伴って、一対の突起部２０Ａ，２０Ｂが外側に向かって開くことも防止され、一対の突起部２０Ａ，２０Ｂがストッパー３０の各溝部３３から離間しないので、ストッパー３０の奥行方向Ｄ３のズレが防止される。この点は、ストッパー３０の各溝部３３に一対の突起部２０Ａ，２０Ｂが入り込んだ際に、ストッパー３０が一対の側壁部１３Ａ，１３Ｂと当接しても、同様である。
【００５３】
更に、テーブル１では、ストッパー３０が天板２に係止した状態になると、支脚３のフレーム５が、ストッパー３０の各支脚支持部３５Ｂ，３５Ｂに圧接又は当接された状態で支持される。これによっても、ストッパー３０の奥行方向Ｄ３のズレが防止され、同時に、支脚３の奥行方向Ｄ３のズレも防止される。
【００５４】
また、テーブル１では、ストッパー３０が天板２に係止した状態になると、ストッパー３０の蓋部３４が、側壁部１３Ａ（の内側面１３Ｄ）を押圧する。この点は、側壁部１３Ｂにおいても、同様である。そのため、ストッパー３０の蓋部３４によって、一対の突起部２０Ａ，２０Ｂとストッパー３０の各溝部３３が覆い隠され、一対の突起部２０Ａ，２０Ｂとストッパー３０の各溝部３３が保護されるので、一対の突起部２０Ａ，２０Ｂとストッパー３０の各溝部３３が破損し難い。尚、ストッパー３０の蓋部３４が一対の側壁部１３Ａ，１３Ｂと当接するように構成されていても、同様にして、一対の突起部２０Ａ，２０Ｂとストッパー３０の各溝部３３が破損し難い。但し、本実施形態とは異なって、ストッパー３０の蓋部３４が一対の側壁部１３Ａ，１３Ｂから離間するように構成されていても、支脚３を天板２にストッパー３０で止着することは可能である。
【００５５】
尚、蓋部３４と一対の突起部２０Ａ，２０Ｂは、上下方向Ｄ１において、離間しているが、当接していてもよい。
【００５６】
また、テーブル１では、ストッパー３０が天板２に係止した状態になると、一対の側壁部１３Ａ，１３Ｂの間に配置された支脚３のフレーム５が当接リブ１４を押圧する。しかしながら、上述したように、当接リブ１４は、一対の側壁部１３Ａ，１３Ｂの長手方向（つまり、横方向Ｄ２）において、一対の突起部２０Ａ，２０Ｂとはズレた位置に設けられている。そのため、天板２からの衝撃が当接リブ１４を介して支脚３のフレーム５に作用する方向（つまり、当接リブ１４の上下方向Ｄ１の下）には、一対の突起部２０Ａ，２０Ｂが存在しないので、天板２からの衝撃で一対の突起部２０Ａ，２０Ｂが破損することが防止される。
【００５７】
また、テーブル１では、ストッパー３０が天板２に係止した状態になると、天板２、ストッパー３０、及び支脚３のフレーム５のそれぞれが、圧接された状態になることから、ストッパー３０や支脚３のズレが防止される。この点は、当接された状態になっても、同様である。但し、圧接された状態では、当接された状態と比べると、ズレの抵抗力（摩擦力）が大きいので、ストッパー３０や支脚３のズレ防止の効果が高い。
【００５８】
尚、テーブル１では、ストッパー３０が天板２に係止した状態になると、突起部２０Ａの外面２４とストッパー３０の溝部３３の側面３３Ｄが当接するが、突起部２０Ａの外面２４とストッパー３０の溝部３３の側面３３Ｄが離間していてもよい。この点は、突起部２０Ｂにおいても、同様である。このように構成されていても、支脚３を天板２にストッパー３０で止着することは可能である。
【００５９】
（６）その他
ちなみに、本実施形態において、支脚３のフレーム５は、「支脚の基部」の一例である。配置空間１３Ｃは、「一対の側壁部の一対の面で区画される領域」の一例である。突起部２０は、「係止部」の一例である。
【００６０】
尚、本実施形態では、「天板と、前記天板を支持する支脚と、前記支脚を前記天板に止着するストッパーとを備え、前記天板は、前記天板の裏側に立設され、前記ストッパーが介装される一対の側壁部と、前記一対の側壁部の互いに対向する一対の面のうち少なくとも一方の面に設けられ、該一対の側壁部の長手方向に沿って設けられた係止部とを備え、前記ストッパーは、前記一対の側壁部の間に配置された前記支脚の基部を支持する支脚支持部と、前記ストッパーが前記一対の側壁部の間に配置された状態で該一対の側壁部の長手方向に沿って設けられた被係止部とを備え、前記係止部又は前記被係止部の少なくともいずれか一方に設けられ、前記一対の側壁部の長手方向に沿った端部で該係止部と該被係止部の係わり合いをスムーズに行わせる係止導入部とを備え、前記一対の側壁部の間で前記被係止部が前記係止部に係わり合うことによって、前記ストッパーが前記天板に係止することを特徴とするテーブル」が具体化されたとも言える。
【００６１】
そのようなテーブルの「係止導入部」の一例として、本実施形態では、上方傾斜面２１と側方傾斜面２２が記載されている。
【００６２】
更に、本実施形態では、「前記ストッパーは、前記ストッパーが前記天板に係止した状態で前記一対の側壁部を押圧することにより前記係止部と前記被係止部とを覆う蓋部を備えたことを特徴とするテーブル」が具体化されたとも言える。
【００６３】
（７）変更例
尚、本発明は上記実施形態に限定されるものでなく、その趣旨を逸脱しない範囲で様々な変更が可能である。
例えば、当接リブ１４を省いてもよい。そのような場合は、一対の側壁部１３Ａ，１３Ｂの間に配置された支脚３のフレーム５は、天板２の裏側に直に当接する。
【００６４】
上方傾斜面２１は、ストッパー３０の溝部３３の上側内面３３Ｂに設けられてもよい。また、側方傾斜面２２は、ストッパー３０の溝部３３の側面３３Ｄに設けられてもよい。
【００６５】
本発明は、テーブル１に代えて、図１６に表されたテーブル１００に適用されてもよい。以下の説明において、テーブル１００は、テーブル１と同じ部分には同一の符号を付し、詳しい説明は省略する。テーブル１００は、天板２、４つの支脚１０３、及び４つのストッパー３０を備えている。各支脚１０３は、脚４及びフレーム１０５を備えている。脚４は、アジャスター４Ａ及び保護材４Ｂを備えており、フレーム１０５の一端部に設けられている。各支脚１０３のフレーム１０５は、個々別々に、各ストッパー３０によって天板２に止着される。
【００６６】
本実施形態において、本発明が具体化されたテーブル１は所謂「会議テーブル」であるが、机、デスク、卓、作業台（例えば、アイロン台）、棚等で本発明が具体化されてもよい。
【符号の説明】
【００６７】
１    テーブル
２    天板
３    支脚
５    フレーム
１３    側壁部
１３Ｃ  配置空間
１４    当接リブ
１５    開き防止リブ
２０    突起部
２２    側方傾斜面
３０    ストッパー
３３    溝部
３３Ｃ  ストッパーの外面
３４    蓋部
３５    支脚支持部
Ｄ２    横方向
【図１】
2019058312.tif 000003
【図２】
2019058312.tif 000004
【図３】
2019058312.tif 000005
【図４】
2019058312.tif 000006
【図５】
2019058312.tif 000007
【図６】
2019058312.tif 000008
【図７】
2019058312.tif 000009
【図８】
2019058312.tif 000010
【図９】
2019058312.tif 000011
【図１０】
2019058312.tif 000012
【図１１】
2019058312.tif 000013
【図１２】
2019058312.tif 000014
【図１３】
2019058312.tif 000015
【図１４】
2019058312.tif 000016
【図１５】
2019058312.tif 000017
【図１６】
2019058312.tif 000018